(57)【要約】【課題】電池の寿命を延ばし、さらに、一方の刺激装置が使えなくなった場合でも他方の刺激装置でそのバックアップをすることができるようにする。【解決手段】第一、第二の神経刺激装置は、電源部と、該電源部から供給される電力により刺激信号を生成する刺激信号発生部を備えている。そして、第一の神経刺激装置と第二の神経刺激装置は、電極リードで接続され、この電極リードに各神経刺激装置からの神経刺激信号が供給される。この電極リードは絶縁物からなるリードボディで覆われ、このリードボディ上には少なくとも一つの刺激電極が設けられている。そして、第一の神経刺激装置が電池残量の不足等に事態に陥ったときには、その状態が第二の神経刺激装置に引き継がれて、円滑な神経刺激の移行が行われる。【選択図】図２
2010233846.tif 000002
【特許請求の範囲】
【請求項１】
第一電源部と、該第一電源部から供給される電力により刺激信号を生成する第一刺激信号発生部と、を有する第一刺激装置と、
第二電源部と、該第二電源部から供給される電力により刺激信号を生成する第二刺激信号発生部と、を有する第二刺激装置と、
第一の端部と第二の端部を有するリードボディと、該リードボディ上に配置された少なくとも一つの刺激電極と、前記少なくとも一つの刺激電極に接続して前記リードボディ内を前記第一の端部に導かれる第一の少なくとも一つの導線と、前記少なくとも一つの刺激電極と接続して前記リードボディ内を前記第二の端部に導かれる第二の少なくとも一つの導線と、を有する電極リードと、を有し、
前記第一の端部は前記第一刺激装置と接続され、前記第二の端部は前記第二刺激装置と接続され、
前記第一刺激装置と前記電極リードと前記第二刺激装置は、接続された状態で生体内に植え込まれるものであることを特徴とする電気刺激装置。
【請求項２】
前記第一刺激装置は、前記第一電源部の残容量を算出する第一電池容量監視部と、前記第一電池容量監視部で算出した残容量が所定量以下になったとき、情報信号を、前記第二刺激装置に前記電極リードを介して送信するための第一制御部と、を更に備えることを特徴とする請求項１に記載の電気刺激装置。
【請求項３】
前記第一電池容量監視部は、前記第一電源部の残容量を前記第一電源部の電池インピーダンスに基づいて算出することを特徴とする請求項２に記載の電気刺激装置。
【請求項４】
前記第一制御部は、前記第一刺激装置の故障を検出したとき、情報信号を、前記第二刺激装置に前記電極リードを介して送信することを特徴とする請求項１に記載の電気刺激装置。
【請求項５】
前記第二刺激装置は、前記第一制御部から受信した情報信号に基づき、前記該第一刺激装置をバックアップすることを特徴とする請求項２〜４のいずれかに記載の電気刺激装置。
【請求項６】
前記情報信号の強度は、前記刺激信号の強度よりも小さいことを特徴とする請求項２〜５のいずれかに記載の電気刺激装置。
【請求項７】
前記情報信号によって送信される情報は、前記第一刺激信号発生部が生成する前記刺激信号のパラメータであることを特徴とする請求項２〜６のいずれかに記載の電気刺激装置。
【請求項８】
前記刺激信号のパラメータは、周波数、パルス幅、パルス電流、パルス電圧に係る値のいずれか一つまたは複数であることを特徴とする請求項７に記載の電気刺激装置。
【請求項９】
前記情報信号によって送信される情報は、前記第一刺激信号発生部の生成する前記刺激信号が印加される電極構成であることを特徴とする請求項２〜６のいずれかに記載の電気刺激装置。
【請求項１０】
前記電極構成が、前記刺激信号の極性及び／又は前記刺激信号が印加される前記刺激電極の組み合わせであることを特徴とする請求項９に記載の電気刺激装置。
【請求項１１】
前記第一刺激装置は、アラームを発生する第一警報部をさらに備え、前記情報信号を前記第二刺激装置に送信する際、前記第一警報部にアラームを発生させることを特徴とする請求項２〜１０のいずれかに記載の電気刺激装置。
【請求項１２】
前記第一刺激装置は、前記情報信号を前記第二刺激装置に送信した際、前記第一刺激装置を構成する各部への電力の供給を停止することを特徴とする請求項２〜１１のいずれかに記載の電気刺激装置。
【請求項１３】
前記電極リードが、前記刺激電極と接続しない、前記電極リードの第一の端部と第二の端部を結ぶ第三の導線を有し、前記情報信号が、前記第一の端部と第二の端部を結ぶ前記第三の導線を介して行われることを特徴とする請求項２〜１２のいずれかに記載の電気刺激装置。
【請求項１４】
前記電極リードが、複数の前記刺激電極を有している場合に、前記第一及び第二刺激装置からみて、前記電極リードの中心から対象に配列されていることを特徴とする請求項１〜１３のいずれかに記載の電気刺激装置。
【請求項１５】
前記第二刺激装置が、前記第一刺激装置と同一構成であることを特徴とする請求項１〜１４のいずれかに記載の電気刺激装置。
【発明の詳細な説明】
【技術分野】
【０００１】
本発明は、刺激対象物に対し電気刺激する電気刺激装置に関し、特に、２つの刺激装置が１本の電極リードに接続された電気刺激装置の制御に関する。
【背景技術】
【０００２】
痛み治療において、従来の薬物療法、神経ブロック療法、外科的療法に効果を示さなかったり、副作用などによりその治療が継続できない場合に、神経を電気刺激することにより痛みを緩和する電気刺激療法が効果を挙げている。電気刺激療法である脊髄電気刺激療法は、脊髄を覆う脊髄硬膜の外側に電極リードを留置して電気刺激を行う療法である。また、末梢神経電気刺激療法は、末梢神経に直接あるいは当該末梢神経の近くの皮下に電極リードを留置して電気刺激を行う療法である。これら脊髄電気刺激療法および末梢神経電気刺激療法では、脊髄や末梢神経を介した痛みの伝達に電気的刺激を利用して干渉することにより、痛みを緩和することができる。
【０００３】
近年、片頭痛や群発頭痛に対する末梢神経電気刺激療法の試みがなされている。これは、頸椎２番、３番から出て、後頭部の頭頂方向へ走行する末梢神経である後頭神経を、皮下に留置した電極で電気刺激することによってその痛みを緩和しようとするものである。また、特許文献１に記載の技術では、筋膜内部に留置した電極によって後頭神経を刺激して後頭神経痛を緩和する方法が開示されている。このような試みでは、通常、後頭神経の近くの皮下あるいは筋膜内に電極が位置するように、電極リードを頸背部に植え込み、皮下トンネルを介して電極リードを胸部に導いて、胸部皮下に植え込まれる神経刺激装置と接続している。一方、特許文献２では、後頭神経の近くに植え込むリードレスの神経刺激装置が開示されている。
【先行技術文献】
【特許文献】
【０００４】
【特許文献１】米国特許第６,７０５,７０５号明細書
【特許文献２】米国特許第６,７３５,４７５号明細書
【発明の概要】
【発明が解決しようとする課題】
【０００５】
しかしながら、特許文献１に記載の技術などに用いられている、頸部に植え込んだ電極リードを皮下トンネルによって胸部まで導いた神経刺激装置では、患者の首や上肢などの動きに伴って電極リードが引っ張られ、電極位置が移動してしまう。このため、疼痛緩和効果が低下し、頸部の痛みやけいれんが起こるなどの不快感を生じるという問題があった。また、特許文献２に記載の技術では、電極リードの引き回しがないため、電極位置の移動の可能性は小さくなるが、神経刺激装置が非常に小型であるため、電池寿命が短く、頻繁に充電する必要があり、その取扱いがとても煩雑であるという問題があった。
このため、電池を長寿命化する必要があるが、電池を大容量化すると寸法が大きくなるので、生体への植え込みに適さなくなってしまう。また、単一の電気刺激装置では、万一の故障の際に、完全に機能しなくなり、全体を交換しない限り対応できないという問題もあった。
【０００６】
本発明はかかる点に鑑みてなされたものであり、装置を２つにしてそれぞれが電池（電源）を持つことで、それぞれの装置を小型化できるとともに、寿命を２倍に延ばし、さらに、一方が故障した場合でも他方がバックアップする電気刺激装置を提供することを目的とする。
【課題を解決するための手段】
【０００７】
上記課題を解決するため、本発明の電気刺激装置は、第一電源部と、該第一電源部から供給される電力により刺激信号を生成する第一刺激信号発生部と、を有する第一刺激装置と、第二電源部と、該第二電源部から供給される電力により刺激信号を生成する第二刺激信号発生部と、を有する第二刺激装置と、第一の端部と第二の端部を有するリードボディと、該リードボディ上に配置された少なくとも一つの刺激電極と、少なくとも一つの刺激電極に接続してリードボディ内を第一の端部に導かれる第一の少なくとも一つの導線と、少なくとも一つの刺激電極と接続してリードボディ内を第二の端部に導かれる第二の少なくとも一つの導線と、を有する電極リードと、を有し、第一の端部は第一刺激装置と接続され、第二の端部は第二刺激装置と接続され、第一刺激装置と電極リードと第二刺激装置は、接続された状態で生体内に植え込まれるものであることを特徴とする。
【０００８】
ここで、電気的に刺激する神経は、脊髄であるか、後頭神経等の末梢神経であることが好ましい。また、刺激信号の刺激強度を決定するパラメータとしては、周波数、パルス幅、パルス電流、パルス電圧の少なくとも１つ、もしくはこれらの中から選ばれる複数の組み合わせに依存させることが望ましい。
【０００９】
本発明の好ましい形態としての電気刺激装置は、自身に含まれる第一刺激装置に第一電源部の残容量を算出する第一電池容量監視部をさらに備える。そして第一電池容量監視部で算出した残容量が所定値より小さいとき、第一刺激装置を停止させ、第二刺激装置に刺激信号を発生させるようにする。このとき、第一刺激装置で生成される刺激信号及び第二刺激装置で生成される刺激信号の特性が同じになるような情報を、第一刺激装置を停止させる前に当該第一刺激装置から第二刺激装置に送信しておく。
【００１０】
本発明の上述した構成によれば、第一及び第二刺激装置の両方とも刺激信号を生成することができる。より好ましくは、第一刺激装置で刺激信号を生成している最中に第一電源部の残容量が低くなった場合、刺激信号を生成する刺激装置を第一刺激装置から第二刺激装置に自動的に変更することができる。
【発明の効果】
【００１１】
本発明によれば、第一及び第二刺激装置という２つの刺激装置に第一及び第二電源部をそれぞれ設けたので、それぞれの刺激装置を小型化できるとともに、電池の寿命を延ばし、さらに、一方の刺激装置が故障した場合でも他方の刺激装置がバックアップすることができるという効果がある。
【図面の簡単な説明】
【００１２】
【図１】本発明の一実施形態に係る電気刺激装置を人体に配置した様子を示す説明図である。
【図２】本発明の一実施形態に係る電気刺激装置の構成を示すブロック図である。
【図３】本発明の一実施形態に係る電気刺激装置の動作の流れを示すフローチャートである。
【図４】本発明の他の実施形態に係る電気刺激装置の構成を示すブロック図である。
【発明を実施するための形態】
【００１３】
以下、本発明を実施するための実施形態例について説明する。以下に述べる実施の形態例は、本発明の好適な具体例である。そのため、技術的に好ましい種々の限定が付されている。しかしながら、本発明の範囲は、下記の説明において特に本発明を限定する旨の記載がない限り、これらの形態に限られるものではない。例えば、以下の説明で挙げる各パラメータの数値的条件は好適例に過ぎず、説明に用いた各図における寸法、形状および配置関係も概略的なものである。
【００１４】
＜本発明の一実施形態例の説明＞
本発明の一実施形態の例（以下、「本例」ということもある）を、図１〜図３を参照して説明する。
図１は、本例に係る電気刺激装置１０１を人体に配置した様子を示す説明図である。
電気刺激装置１０１は、疼痛を緩和するために後頭神経１０２等に対して電気的刺激を与える装置である。この電気刺激装置１０１は、電気的刺激信号を生成する、いわゆるジェネレータである第一及び第二神経刺激装置１０３、１０４と、当該第一及び第二神経刺激装置１０３、１０４を電気的かつ物理的に接続する電極リード１０５とを含む。この電極リード１０５には、電気的刺激信号で後頭神経１０２を刺激するための電極１０７が配置されており、それらの構成全体が生体の皮下に植え込まれるものである。なお、第一及び第二神経刺激装置１０３，１０４の詳細な説明は図２にて後述する。
【００１５】
電極リード１０５に設けられる電極１０７は、第一及び第二神経刺激装置１０３、１０４から見て後述するリードボディ１０６の中心から対象に配列されている。また、電極リード１０５は、第一及び第二神経刺激装置１０３、１０４と相互に電気的接続を行うためのコネクタ（不図示）を備えている。この電極リード１０５の電極１０７とコネクタとの間には、第一及び第二神経刺激装置１０３、１０４からの電気信号を、コネクタから電極１０７に伝えるための複数の導線（図２にて後述）と、これら複数の導線を覆って体液などに晒されるのを防ぐためのリードボディ１０６が設けられている。リードボディ１０６には、一般的に、シリコンやポリウレタンなどが用いられる。また、各導線はそれぞれ絶縁被覆に覆われており、各導線間は電気的に絶縁されている。
【００１６】
ところで、第一及び第二神経刺激装置１０３、１０４は、一般的に、チタンなどの生体適合性を有する容器に密封され、頸背部の右側と左側の皮下に植え込まれる。図１に示すように、電極１０７には、左後頭神経１０２Ａと右後頭神経１０２Ｂをそれぞれ刺激するための電極が複数個設けられている。すなわち、図１に示すように、左後頭神経１０２Ａを刺激するために、４つの電極１０７（ａ、ｂ、ｃ、ｄ）のいずれかが左の後頭神経１０２Ａの上あるいは近くに配置され、右後頭神経１０２Ｂを刺激するために、４つの電極１０７（ｅ、ｆ、ｇ、ｈ）のいずれかが右の後頭神経１０２Ｂの上あるいは近くに配置されるように後頭部付近に電極リード１０５が植え込まれる。ここで、第一及び第二神経刺激装置１０３，１０４が植え込まれる位置はそれぞれ正中からほぼ等しい距離とされる。このため、第一及び第二神経刺激装置１０３，１０４による荷重が、頸背部の右側と頸背部の左側でほぼ等しくなる。そして、このような状態で電気刺激装置は固定される。なお、本例では電極１０７の数を８つとしたが、これに限られるものではない。
【００１７】
［電気刺激装置１０１の構成］
図２は、本発明の一実施形態例に係る電気刺激装置１０１を示す機能ブロック図である。
電気刺激装置１０１は、図１に示したように、電極リード１０５と、当該電極リード１０５で相互に電気的に接続された第一及び第二神経刺激装置１０３、１０４を含んでいる。なお、第一及び第二神経刺激装置１０３、１０４の構成は同じなので、第一神経刺激装置１０３の構成についてのみ説明し、第二神経刺激装置１０４の構成についての説明は省略する。
【００１８】
第一神経刺激装置１０３は、第一コイル部２０２と、第一通信部２０３と、第一刺激パラメータ設定部２０４と、第一電極構成設定部２０５と、第一刺激信号発生部２０６と第一制御部２０７を含む。さらに、第一電源部としての第一充電部２０８と第一充電池２０９と、第一電池容量監視部２１０と、第一警報部２１１とを備える。
【００１９】
第一充電池２０９は、例えばリチウムイオン電池等の充電可能な電池である。図２に図示はしていないが、この第一充電池２０９は、蓄積している電力を、第一神経刺激装置１０３を構成する各ブロックに供給している。
【００２０】
第一コイル部２０２は、例えばコイルとコンデンサで構成される共振回路である。第一コイル部２０２は、第一充電池２０９の充電を行う場合、図示しない体外のコントローラから送信される充電用の電波を第一コイル部２０２が受信する。そして、この受信に伴って第一コイル部２０２から発生する交流電流が第一充電部２０８に出力される。また、第一コイル部２０２は図示しない体外のコントローラから送信される、所定の情報が載せられた電波を受信し、受信した電波が当該第一コイル部２０２から第一通信部２０３に出力される。
【００２１】
第一充電部２０８は、整流回路を内蔵し、第一コイル部２０２から出力された交流電流を直流電流に変換して電力を取得する。そして、取得した電力で第一充電池２０９の充電を行う。
【００２２】
第一通信部２０３は、第一コイル部２０２が受信した電波を復調し、電波に載せられている情報を取り出す。そして、取り出した情報を第一刺激パラメータ設定部２０４及び第一電極構成設定部２０５に出力する。第一刺激パラメータ設定部２０４に出力される情報は電気的刺激信号の刺激強度に関する情報（以下、「刺激パラメータ」という）であり、第一電極構成設定部２０５に出力される情報は電極構成に関する情報（以下、「電極構成情報」という）である。この刺激パラメータや電極構成情報は、患者の痛みの分布範囲や強さ、刺激対象神経の位置等に応じて、医師や患者がコントローラを用いて変更されるものである。電気的刺激信号の刺激強度は当該電気的刺激信号のパルス電圧、パルス電流、パルス幅あるいは周波数により決定されるので、刺激パラメータはこれらパルス電圧等の値を示す信号である。また、電極構成情報は、電気的刺激信号の極性を変更するための情報と、電気的刺激信号を出力する電極を第一刺激信号発生部に選択させるための情報とを含む信号である。
【００２３】
第一刺激パラメータ設定部２０４は、第一通信部２０３から入力される刺激パラメータに基づいて、第一刺激信号発生部２０６で発生する電気的刺激信号の刺激強度を変更するための刺激強度変更信号を生成するとともに、当該刺激パラメータを第一制御部２０７に出力する。
【００２４】
第一電極構成設定部２０５は、第一通信部２０３から入力される電極構成情報に基づいて、第一刺激信号発生部２０６で発生する電気的刺激信号の極性を決定し、当該電気的刺激信号を出力する電極１０７を選択するための電極構成選択信号を生成する。また、第一通信部２０３から入力される電極構成情報を第一制御部２０７に出力する。第一刺激パラメータ設定部２０４から出力される刺激強度変更信号及び第一電極構成設定部２０５から出力される電極構成選択信号は、ともに第一刺激信号発生部２０６に出力される。
【００２５】
第一刺激信号発生部２０６は、第一刺激パラメータ設定部２０４から入力される刺激強度変更信号及び第一電極構成設定部２０５から入力される電極構成選択信号に基づいて、電気的刺激信号を生成して所定の電極１０７（a〜ｈ）に出力する。この第一刺激信号発生部２０６は、第一右神経刺激波形発振部２１２と、第一右電極選択スイッチ２１３と、第一左神経刺激波形発振部２１４と、第一左電極選択スイッチ２１５とを備えている。
【００２６】
第一右神経刺激波形発振部２１２は、第一刺激パラメータ設定部２０４から入力される刺激強度変更信号に応じて生成された電気的刺激信号を、第一右電極選択スイッチ２１３に出力する。このとき、第一右神経刺激波形発振部２１２が生成する電気的刺激信号の極性は、第一電極構成設定部２０５から出力される電極構成選択信号によって決定される。
【００２７】
また、第一左神経刺激波形発振部２１４は、第一右神経刺激波形発振部２１２と同じものであり、第一刺激パラメータ設定部２０４から入力される刺激強度変更信号に応じて生成された電気的刺激信号を、第一左電極選択スイッチ２１５に出力する。第一左神経刺激波形発振部２１４が生成する電気的刺激信号の極性も、第一電極構成設定部２０５から出力される電極構成選択信号によって決定される。ところで、第一刺激パラメータ設定部２０４から入力される刺激強度変更信号及び第一電極構成設定部２０５から入力される電極構成選択信号は、第一右神経刺激波形発振部２１２と第一左神経刺激波形発振部２１４から生成される電気的刺激信号の刺激強度と極性をそれぞれ個別に設定することができる。なお、図１に示す左後頭神経１０２Ａには、第一神経刺激装置１０３の第一右神経刺激波形発振部２１２で生成される電気的刺激信号を供給し、右後頭神経１０２Ｂには、第二神経刺激装置１０４の第二左神経刺激波形発振部２２８で生成される電気的刺激信号を供給するようにすることもできる。つまり、第一神経刺激装置１０３により右後頭神経１０２Ｂを刺激し、第二神経刺激装置１０４で左後頭神経１０２Ａを刺激するようにしてもよい。
【００２８】
ここでは、左後頭神経１０２Ａ及び右後頭神経１０２Ｂとも、一方の神経刺激装置、すなわち第一神経刺激装置１０３または第二神経刺激装置１０４のいずれかのみから発生される電気的刺激信号が供給されるという前提で、以下説明する。
【００２９】
すなわち、第一右電極選択スイッチ２１３は、右の後頭神経１０２Ｂを刺激するための電極１０７（ｅ〜ｈ）に対応する電極リード１０５の導線（以下、「右後頭神経用導線」という）と電気的にそれぞれ接続される右導線選択端子と、第一右神経刺激波形発振部２１２と電気的に接続される右発振部用端子とを備える。この第一右電極選択スイッチ２１３は、第一電極構成設定部２０５から入力される電極構成選択信号に基づいて、上述した右導線選択端子のなかの一つの端子と右発振部用端子を選択的に接続する。これにより、第一右神経刺激波形発振部２１２と、右発振部用端子と接続している右導線選択端子に対応する右後頭神経用導線とが電気的に接続され、当該右後頭神経用導線に接続された電極１０７（ｅ〜ｈ）のうちの一つの電極に第一右神経刺激波形発振部２１２で生成された電気的刺激信号が出力される。このとき、第一神経刺激装置１０３のチタンの容器が対極電極となる。
【００３０】
一方、第一左電極選択スイッチ２１５は、左の後頭神経１０２Ａを刺激するための電極１０７（ａ〜ｄ）に対応する電極リード１０５の導線（以下、「左後頭神経用導線」という）と電気的にそれぞれ接続される左導線選択端子と、第一左神経刺激波形発振部２１４と電気的に接続される左発振部用端子とを備える。この第一左電極選択スイッチ２１５も、第一電極構成設定部２０５から入力される電極構成選択信号に基づいて、左導線選択端子のなかの一つの端子と左発振部用端子とが選択的に接続される。これにより、第一左神経刺激波形発振部２１４と左導線選択端子に対応する左後頭神経用導線とが電気的に接続され、当該左後頭神経用導線に接続された電極１０７（ａ〜ｄ）のうちの一つの電極に第一左神経刺激波形発振部２１４で生成された電気的刺激信号が出力される。同様に、第一神経刺激装置１０３のチタンの容器が対極電極となる。
【００３１】
ところで、電池はその消耗とともに電池のインピーダンスが増加するので、第一電池容量監視部２１０は、第一充電池２０９の電池インピーダンスに基づいて当該第一充電池２０９の残容量を算出し、算出した残容量を第一制御部２０７に出力する。
【００３２】
第一制御部２０７は、第一神経刺激装置１０３の各ブロックを制御するとともに、その動作を監視し、例えば、サーミスタなどを用いて充電に伴う異常な温度上昇といった故障を発見すると、動作させる神経刺激装置を第一神経刺激装置１０３から第二神経刺激装置１０４に変更するための情報信号（第1情報信号）、すなわち刺激装置切換信号を電極リード１０５の所定の導線を介して第二神経刺激装置１０４に出力する。このとき、第一制御部２０７は、スピーカー等である第一警報部２１１に対して、使用する神経刺激装置の変更を示す警報（音）を出力させるように制御する。
【００３３】
また、第一制御部２０７は、第一刺激パラメータ設定部２０４及び第一電極構成設定部２０５に設定されている刺激パラメータ及び電極構成に関する情報信号（第２情報信号）を電極リード１０５の所定の導線を介して第二神経刺激装置１０４に出力する。なお、第一神経刺激装置１０３から第二神経刺激装置１０４へ、刺激パラメータ及び電極構成情報を出力するタイミングは、刺激装置切換信号を出力するときに同時に行ってもよいし、例えば、体外のコントローラから第一通信部２０３を介して第一刺激パラメータ設定部２０４及び第一電極構成設定部２０５に情報が入力された直後でもよい。刺激装置切換信号を受信した第二神経刺激装置１０４は、その後、得られた刺激パラメータ及び電極構成情報に基づいて、第一神経刺激装置１０３と同様の条件で神経刺激作業を引き継ぐ。
【００３４】
また、第一制御部２０７は、第一電池容量監視部２１０から入力される第一充電池２０９の残容量が所定の値より小さいか否かを検出し、所定の値より小さい場合に前述の刺激装置切換信号を電極リード１０５の所定の導線を介して第二神経刺激装置１０４に出力し、神経刺激作業を交代する。このとき、第一制御部２０７は、第一刺激信号発生部２０６からの電気的刺激信号の出力を停止させるため、第一充電池２０９から第一刺激信号発生部２０６への電力の供給、すなわち、第一右神経刺激波形発振部２１２及び第一左神経刺激波形発振部２１４への電力の供給を止める。そして同時に、刺激装置を切り換えることを装置の携帯者に知らせるための警報音を、第一警報部２１１から出力する。このとき、第一警報部２１１から出力される警報音は、故障を検出した場合のものと判別が可能である。
【００３５】
ところで、第一刺激信号発生部２０６の停止中に、第二神経刺激装置１０４から第一神経刺激装置１０３の第一制御部２０７に、電極リード１０５を介して、第二刺激パラメータ設定部２１８及び第二電極構成設定部２１９それぞれから第二制御部２２１に入力される刺激パラメータ及び電極構成情報が入力されることがある。このとき第一制御部２０７は、第二神経刺激装置１０４から入力された刺激パラメータ及び電極構成情報を第一刺激パラメータ設定部２０４及び第一電極構成設定部２０５にそれぞれ出力し、これら刺激パラメータ及び電極構成情報に基づいて、第一刺激信号発生部２０６を制御させる準備を行うようにする。これにより、後に第一充電池２０９が充電された場合に、第二神経刺激装置１０４から刺激装置切換信号が入力されると、再び、第一神経刺激装置１０３に切り換わることが可能となる。
【００３６】
なお、第一制御部２０７から第二神経刺激装置１０４に情報を送信する際に通信回路として使用する電極リード１０５の導線は、後頭神経の刺激に関与しない電極に対応したものを用いることが望ましいが、刺激に関与している電極に対応した導線を用いることも可能である。この第一制御部２０７から第二神経刺激装置１０４に出力される各信号の強度は、電極１０７に加えられる電気的刺激信号の刺激強度よりも弱く設定される。例えば、電気刺激装置１０１の使用者に違和感を持たせない程度の強度に、予め設定しておくことが望ましい。
【００３７】
以上説明したように、本例の電気刺激装置１０１では、電気的刺激信号を発生させる神経刺激装置を第一神経刺激装置１０３から第二神経刺激装置１０４に変更する場合に、第一神経刺激装置１０３における最新の刺激パラメータ及び電極構成を第二神経刺激装置１０４に引き継がせることができる。なお、第二神経刺激装置１０４から第一神経刺激装置１０３に変更する場合も、同様に第二神経刺激装置１０４における最新の刺激パラメータ及び電極構成を第一神経刺激装置１０３に引き継がせることができる。
【００３８】
［電気刺激装置１０１の動作］
次に、電気刺激装置１０１の動作について図３を参照して説明する。図３は、本例の電気刺激装置１０１の動作の流れを示すフローチャートである。
まず、電気刺激装置１０１が、図１に示したような生体内の所定の位置に植え込まれて、利用可能な状態となっているものとする。このような状態になると、第一制御部２０７は、予め初期値として用意しておいた刺激パラメータ及び電極構成情報を第一刺激パラメータ設定部２０４及び第一電極構成設定部２０５にそれぞれ出力する。さらに、第一制御部２０７は、当該第一制御部２０７から第二神経刺激装置１０４に情報を送信する際に使用する通信回路として、電極リード１０５の導線を初期設定のものにする（ステップＳ１）。そして、第一刺激パラメータ設定部２０４及び第一電極構成設定部２０５は、入力された刺激パラメータ及び電極構成情報それぞれに応じた刺激強度及び極性の電気的刺激信号を第一右神経刺激波形発振部２１２及び第一左神経刺激波形発振部２１４から発生させる。
【００３９】
このステップＳ１において、第一電極構成設定部２０５は、入力された電極構成情報に基づいて第一右電極選択スイッチ２１３及び第一左電極選択スイッチ２１５をそれぞれ制御する。つまり、第一右電極選択スイッチ２１３に右側の後頭神経１０２Ｂを刺激するための電極１０７（図１のｅ〜ｈを参照）に接続されている各導線の中の一本と接続される。すなわち、右後頭神経用導線の中の一本を選択させて、選択させた導線と第一右神経刺激波形発振部２１２とを電気的に接続する。
【００４０】
また、第一左電極選択スイッチ２１５は、左側の後頭神経１０２Ａを刺激するための電極１０７（図１のａ〜ｄを参照）に接続されている各導線の中の一本に接続される。すなわち左後頭神経用導線の中の一本が、第一左電極選択スイッチ２１５によって選択され、この選択された導線と第一左神経刺激波形発振部２１４とが電気的に接続される。
今仮に、ステップＳ１の初期化動作で、電極１０７の（ａ）に接続している左後頭神経用導線と、電極１０７（ｅ）に接続している右後頭神経用導線とがそれぞれ選択されたものとする。これにより、第一右神経刺激波形発振部２１２で生成された電気的刺激信号が電極１０７(e)に出力されて右後頭神経１０２Ｂの電気的刺激が行われると共に、第一左神経刺激波形発振部２１４で生成された電気的刺激信号が電極１０７（ａ）に出力されて左後頭神経１０２Ａの電気的刺激が行われる。
【００４１】
次に、第二神経刺激装置１０４の第二制御部２２１は、当該第二制御部２２１が第一神経刺激装置１０３の第一制御部２０７からの情報を受信する際に使用する通信回路として、電極リード１０５の導線を初期設定のものにする（ステップＳ２）。これらのステップＳ１及びステップＳ２の処理により、第一制御部２０７と第二制御部２２１とが初期設定の導線により電気的に接続される。
【００４２】
以上の初期化動作が完了すると、続いてユーザによる不図示の体外のコントローラによるプログラミング要求があるか否かが判断される（ステップＳ３）。すなわち第一通信部２０３から第一刺激パラメータ設定部２０４及び第一電極構成設定部２０５それぞれへの刺激パラメータ及び電極構成情報の入力があるか否かの確認が行われる。この判断ステップＳ３で刺激パラメータ及び電極構成情報の入力がないと判定された場合は（ステップＳ３のＮＯ）、後述するステップＳ５の処理へと移行する。
【００４３】
一方、判断ステップＳ３で刺激パラメータ及び電極構成情報の入力があると判定された場合には（ステップＳ３のＹＥＳ）、第一刺激パラメータ設定部２０４及び第一電極構成設定部２０５は、それぞれに入力された刺激パラメータ及び電極構成情報に基づいて、第一刺激信号発生部２０６の制御を行う（ステップＳ４）。つまり、第一刺激パラメータ設定部２０４及び第一電極構成設定部２０５は、入力された刺激パラメータ及び電極構成情報に応じた刺激強度及び極性の電気的刺激信号を、第一右神経刺激波形発振部２１２及び第一左神経刺激波形発振部２１４から発生させる。
【００４４】
また、第一電極構成設定部２０５は、入力された電極構成情報に基づいて、第一右電極選択スイッチ２１３及び第一左電極選択スイッチ２１５をそれぞれ制御する。つまり、右後頭神経用導線の中の一本を第一右電極選択スイッチ２１３で選択し、この選択した導線と第一右神経刺激波形発振部２１２とを電気的に接続する。さらに、左後頭神経用導線の中の一本を第一左電極選択スイッチ２１５で選択し、この選択した導線と第一左神経刺激波形発振部２１４とを電気的に接続する。
【００４５】
このステップＳ４では、ユーザのプログラミング要求により電極１０７（ｂ）に接続している左後頭神経用導線と、電極１０７（ｆ）に接続している右後頭神経用導線とがそれぞれ選択されたものとする。これにより、第一右神経刺激波形発振部２１２で生成された電気的刺激信号が電極１０７（ｆ）に出力されて右後頭神経１０２Ｂの電気的刺激が行われると共に、第一左神経刺激波形発振部２１４で生成された電気的刺激信号が電極１０５（ｂ）に出力されて左後頭神経１０２Ａの電気的刺激が行われる。
【００４６】
ところで、第一電池容量監視部２１０は、第一充電池２０９の残容量を常に監視すると共に、その残容量を算出している。そして、算出した残容量を第一制御部２０７に出力している。その結果、第一制御部２０７は、第一電池の残容量が十分であるかどうか、つまり第一電池容量監視部２１０から入力される残容量が所定値よりも小さい否かを確認する（ステップＳ５）。このステップＳ５で、第一電池容量監視部２１０から入力される残容量が所定値以上、つまり第一充電池２０９の残容量が十分あると判断された場合（ステップＳ５のＮＯ）、ステップＳ３の処理に戻って処理を繰り返す。
【００４７】
判断ステップＳ５で第一電池容量監視部２１０から入力される残容量が所定値よりも小さい（ステップＳ５のＹＥＳ）、すなわち第一充電池２０９の残容量が十分残っていないと判断された場合は、第一制御部２０７は、第一警報部２１１を通して充電池の残容量が不足している旨を知らせるための警報を発生する（ステップＳ６）。このとき、ステップＳ１の処理及びステップＳ２の処理で選択した通信回線（電極リード１０５を構成する所定の導線）を介して、現時点における刺激パラメータ及び電極構成情報を第二神経刺激装置１０４の第二制御部２２１に送信する（ステップＳ７）。本例では、ステップＳ４の処理に関する刺激パラメータ及び電極構成が、第二制御部２２１に送信されるものとする。
【００４８】
第二制御部２２１は、受信した刺激パラメータ及び電極構成情報を第二刺激パラメータ設定部２１８及び第二電極構成設定部２１９にそれぞれ出力する。そして、第二刺激パラメータ設定部２１８及び第二電極構成設定部２１９は、それぞれに入力された刺激パラメータ及び電極構成情報に基づいて、第二刺激信号発生部２２０を制御する（ステップＳ８）。つまり、第二刺激パラメータ設定部２１８及び第二電極構成設定部２１９は、ステップＳ７の処理で、第一神経刺激装置１０３から受信した刺激パラメータ及び電極構成情報に応じた刺激強度及び極性の電気的刺激信号を、第二右神経刺激波形発振部２２６及び第二左神経刺激波形発振部２２８から発生させる。
【００４９】
また、第二電極構成設定部２１９は、ステップＳ７で入力された電極構成情報に基づいて、第二右電極選択スイッチ２２７及び第二左電極選択スイッチ２２９をそれぞれ制御する。つまり、右後頭神経用導線の中の一本を第二右電極選択スイッチ２２７で選択し、この選択した導線と第二右神経刺激波形発振部２２６とを電気的に接続する。さらに、左後頭神経用導線の中の一本を第二左電極選択スイッチ２２９で選択し、選択させた導線と第二左神経刺激波形発振部２２８とを電気的に接続する。
【００５０】
このステップＳ８の処理は、ステップＳ４の処理と同じであり、電極１０７（ｂ）に接続している左後頭神経用導線と、電極１０７（ｆ）に接続している右後頭神経用導線とがそれぞれ選択される。これにより、第二右神経刺激波形発振部２２６で生成された電気的刺激信号が電極１０７（ｆ）に出力されて右後頭神経１０２Ｂの電気的刺激が行われると共に、第二左神経刺激波形発振部２２８で生成された電気的刺激信号が電極１０７（ｂ）に出力されて左後頭神経１０２Ａの電気的刺激が行われる。
【００５１】
以上の処理が完了すると、今度は第二通信部２１７から第二刺激パラメータ設定部２１８及び第二電極構成設定部２１９に対してプログラミング要求があるかどうか、つまり、第二刺激パラメータ設定部２１８及び第二電極構成設定部２１９に対して刺激パラメータ及び電極構成情報の入力があるか否かの確認が行われる（ステップＳ９）。この判断ステップＳ９で刺激パラメータ及び電極構成情報の入力がないと判定された場合は（ステップＳ９のＮＯ）、ステップＳ８の処理に戻る。
【００５２】
一方、判断ステップＳ９で、刺激パラメータ及び電極構成情報の入力があると判定された場合には（ステップＳ９のＹＥＳ）、第二刺激パラメータ設定部２１８及び第二電極構成設定部２１９は、それぞれに入力された刺激パラメータ及び電極構成情報に基づいて、第二刺激信号発生部２２０の制御を行う（ステップＳ１０）。つまり、第二刺激パラメータ設定部２１８及び第二電極構成設定部２１９は、入力された刺激パラメータ及び電極構成情報に基づいて、第二右神経刺激波形発振部２２６及び第二左神経刺激波形発振部２２８から発生される電気的刺激信号を制御する。
【００５３】
そして、ステップＳ１０で入力された電極構成情報に基づいて、第二右電極選択スイッチ２２７により右後頭神経用導線の中の一本を選択し、選択した導線と第二右神経刺激波形発振部２２６とを電気的に接続する。また、第二左電極選択スイッチ２２９により左後頭神経用導線の中の一本を選択し、選択した導線と第二左神経刺激波形発振部２２８とを電気的に接続する。
ここでは、電極１０７（ｃ）に接続している左後頭神経用導線と、電極１０７（ｇ）に接続している右後頭神経用導線とがそれぞれ選択されたものとする。これにより、第二右神経刺激波形発振部２２６で生成された電気的刺激信号が電極１０７（ｇ）に出力されて右後頭神経１０２Ｂの電気的刺激が行われると共に、第二左神経刺激波形発振部２２８で生成された電気的刺激信号が電極１０７（ｃ）に出力されて左後頭神経１０２Ａの電気的刺激が行われる。
【００５４】
本例では、電気的刺激信号を発生させる装置を第一神経刺激装置１０３から第二神経刺激装置１０４に変更する際の電気刺激装置１０１の動作について説明したが、この逆の場合もあることは言うまでもない。すなわち、電気的刺激信号を発生させる神経刺激装置を第二神経刺激装置１０４から第一神経刺激装置１０３に変更する際には、図３のフローチャートのステップＳ１、ステップＳ３〜ステップＳ６及びステップＳ７の送信処理が第二神経刺激装置１０４で行われ、ステップＳ２、ステップＳ７の受信処理及びステップＳ８〜ステップＳ１０が第一神経刺激装置１０３で行われることになる。
【００５５】
以上説明したように、本例では、第一及び第二神経刺激装置１０３，１０４という２つの刺激装置に第一充電池２０９及び第二充電池２２３をそれぞれ設けている。そのため、それぞれの刺激装置を小型化できるとともに、電池の寿命を２倍に延ばすことができ、更に、一方の刺激装置が故障した場合でも他方の刺激装置でバックアップすることができるという効果も奏する。
【００５６】
また、本例では、第一神経刺激装置１０３から第二神経刺激装置１０４に切り換える場合に、第一神経刺激装置１０３が現時点で生成している電気的刺激信号と同じ信号を第二神経刺激装置１０４に生成させるための情報を、第一神経刺激装置１０３から第二神経刺激装置１０４に送信するようにしている。また、第一充電池２０９の残容量が所定値より小さいときあるいは第一神経刺激装置１０３が故障したときに、第一神経刺激装置１０３における電気的刺激信号の生成を停止させ、第一神経刺激装置１０３から送信される情報に基づいて第二神経刺激装置１０４に電気的刺激信号を生成させるようにする。そして、第一神経刺激装置１０３が停止前まで生成していた電気的刺激信号と同じ信号を、第二神経刺激装置１０４で生成することを可能としている。これにより、患者の後頭神経を刺激する電気的刺激信号を生成する神経刺激装置を、第一神経刺激装置１０３から第二神経刺激装置１０４に変更しても、患者の後頭神経に加わる電気的刺激信号は変わらないので、患者に対する不快感を低減するという効果がある。
【００５７】
また、本例では、電気的刺激信号を生成する装置が第一神経刺激装置１０３から第二神経刺激装置１０４に変更された際、第一警報部２１１からアラームを発生させるようにした。このため、患者は、自分の神経を電気的刺激信号で刺激している神経刺激装置が変更されたタイミングを確認することができる。また、電池が消耗した場合と故障を検出した場合で発生させるアラームを異ならせることにより、電池の消耗の場合は充電の、故障の場合は検診を受ける必要性を患者に知らせることができる。
【００５８】
さらに、本例では、第一及び第二神経刺激装置１０３，１０４からみて、電極リード１０５の中心から対象になるように各電極１０７が配列されるようにしている。また、第一及び第二神経刺激装置１０３，１０４は、同じ装置であるため、その重量も等しいものとなる。したがって、電極１０７を、例えば左右の後頭神経１０２Ａ、Ｂ上に配置した際に、第一神経刺激装置１０３及び第二神経刺激装置１０４による荷重が、頸背部の右側と左側でほぼ等しくなる。そのため、例え患者の首や上肢などの動きに伴って電極リード１０５が引っ張られたとしても、電極１０７を左右の後頭神経１０２Ａ、Ｂ上に固定させることができる。これにより、電極１０７位置の移動による疼痛緩和効果が低下することがなく、さらに、頸部の痛みやけいれんといった不快感をもたらすということもない。
【００５９】
＜２．他の実施形態の説明＞
次に、本発明の他の実施形態の例を、図４を参照して説明する。
図４は、本発明の他の実施形態に係る電気刺激装置４０１の構成を示すブロック図である。
図４で説明する他の実施形態例に係る電気刺激装置も、図２の実施形態例の電気刺激装置とその構成はほとんど変わらないので、共通部分については同一符号を付して、説明を省略することとする。
図２に示す実施形態例と異なる点は、図４に示すものでは、第一神経刺激装置４０２及び第二神経刺激装置４０３の間で情報交換がなされる、刺激パラメータ、電極構成情報及び刺激装置切換信号の送受信の際に使用するための特別な通信用導線４０６を含むようにした点である。つまり、電極リード４０４には、各電極１０７に電気刺激信号を供給するための導線に加えて、通信用導線４０６が特別に用意されている。
【００６０】
この通信用導線４０６は、第一神経刺激装置４０２の第一制御部４０５と第二神経刺激装置４０３の第二制御部４０７とを電気的に接続する導線である。この通信用導線４０６は、電極リード４０４に含まれる他の導線と同じ導線であるが、上述のように電極１０７とは接続されていない。そのため、図１のように電気刺激装置４０１が人体に配置された状態において、通信用導線４０６に信号が流れたとしても、人体には当該信号による電気的刺激が加えられることはない。
【００６１】
つまり、第一神経刺激装置４０２の第一制御部４０５は、電極リード４０４の通信用導線４０６を介して刺激パラメータ、電極構成情報及び刺激装置切換信号を、第二神経刺激装置４０３の第二制御部４０７に送信する。そして、第二制御部４０７は、通信用導線４０６を介して、第一制御部４０５から送られた刺激パラメータ、電極構成情報及び刺激装置切換信号を受信する。
図４の例でも、電池の残容量の不足などにより、第一神経刺激装置４０２から第二神経刺激装置４０３に変更する場合に、第一神経刺激装置４０２における最新の刺激パラメータ及び電極構成を第二神経刺激装置４０３に引き継がせることができる。
【００６２】
なお、図４に示す電気刺激装置においても、第一制御部４０５と第二制御部４０７間での、刺激パラメータ、電極構成情報及び刺激装置切換信号の送受信に、特別な通信用導線４０６を使用するという点以外は、図２に示す電気刺激装置の動作と同じであるので、繰り返して説明することはしない。
【００６３】
このように、図４の例では、第一及び第二神経刺激装置４０２，４０３間における通信に、電極１０７に接続されていない通信用導線４０６を用いるようにした。また、この通信用導線４０６は、リードボディ１０６により外部と絶縁するようにしている。このため、通信用導線４０６に刺激パラメータ、電極構成情報及び刺激装置切換信号を流しても患者に電気的刺激を加えることがない。したがって、電気的刺激信号を発生させる装置を、第一刺激信号発生装置から第二刺激信号発生装置に変更するに際して、通信用導線４０６に電圧を与えても、患者に対して不快感を与えないという効果がある。
【００６４】
＜３．変形例の説明＞
上述したように、本発明の一実施形態例（図２）及び他の実施形態例（図４）の電気刺激装置は、第一神経刺激装置あるいは第二神経刺激装置のいずれか片方で電気的刺激信号を生成し、左右２本ある後頭神経１０２Ａ、Ｂの両方を当該電気的刺激信号で刺激するものであった。しかしながら、第一及び第二神経刺激装置の両方を使用し、左右２本の後頭神経１０２Ａ、Ｂを、それぞれ別の神経刺激装置で刺激するようにしてもよい。例えば、左の後頭神経１０２Ａを刺激するための電気的刺激信号を第二刺激信号発生装置で生成し、右の後頭神経１０２Ｂを刺激するための電気的刺激信号を第一刺激信号発生装置で生成するようにすることも可能である。
【００６５】
この場合、図２に示す第二神経刺激装置１０４の第二制御部２２１は、第二刺激信号発生部２２０における第二左神経刺激波形発振部２２８及び第二左電極選択スイッチ２２９のみを動作させるようにする。そして、第二左神経刺激波形発振部２２８で生成された電気的刺激信号を第二左神経切換スイッチ２２９及び電極１０７（ａ〜ｄ）のいずれか１つを介して左の後頭神経１０２Ａに与えるようにする。
【００６６】
また、第一神経刺激装置１０３の第一制御部２０７は、第一刺激信号発生部２０６における第一右神経刺激波形発振部２１２及び第一右電極選択スイッチ２１３のみを動作させるようにする。そして、第一右神経刺激波形発振部２１２で生成された電気的刺激信号が、第一右神経切換スイッチ２１３及び電極１０７（ｅ〜ｈ）のいずれか１つを介して右の後頭神経１０２Ｂに与えるようにする。
【００６７】
このような変形例を考えたとき、例えば、一方の神経刺激装置に故障等が発生した場合には、故障が発生していない方の神経刺激装置だけで、右左両方の後頭神経１０２Ａ、Ｂに電気的刺激信号を与えるようにする。なお、このような制御は、第一制御部２０７と第二制御部２２１により行われる。
【００６８】
以上説明したように、変形例では、第一及び第二神経刺激装置という２つの刺激装置に第一及び第二充電池２０９，２２３をそれぞれ設けた。そのため、それぞれの刺激装置を小型化できるとともに、寿命を２倍に延ばし、さらに、一方が故障した場合でも他方がバックアップすることができるという一実施形態と同様の効果がある。
【００６９】
ところで、上述した各実施の形態例では、右頸背部側に位置する電極１０７（ｅ〜ｈ）のうち、右後頭神経１０２Ｂ上あるいはその近くにある１つの電極と、左頸背部側に位置する電極１０７（ａ〜ｄ）のうち、左後頭神経１０２Ａ上あるいはその近くにある１つの電極に対して、チタンのケースを対極として左右それぞれの電極に電気的刺激信号を印加する単極刺激の構成とした。これ以外に、右頸背部側に位置する電極１０７（ｅ〜ｈ）のうち、例えば、右後頭神経１０２Ｂを挟む位置にある２つの電極と、左頸背部側に位置する電極１０７（ａ〜ｄ）のうち、例えば、左後頭神経１０２Ａを挟む位置にある２つの電極を選択し、この選択した二つの電極間でそれぞれ電気的刺激信号を印加する双極刺激の構成とすることも可能である。また、上述した各実施の形態例では、電源部を充電部と充電池とからなるものとして説明したが、これを一次電池で置き換えることも可能である。さらに、上述した各実施の形態例では、電気的刺激信号での刺激対象を左右の後頭神経１０２Ａ、Ｂとしたが、この左右の後頭神経１０２Ａ、Ｂの分枝である、大後頭神経、小後頭神経、第三後頭神経の少なくとも１つを刺激するようにしても良い。また、脊髄硬膜外に電極１０７を留置し、左右後頭神経１０２Ａ、Ｂが発する領域の脊髄を刺激することも可能である。この場合、第一頸椎から第三頸椎の領域にある脊髄が好適である。さらに、刺激を行うことで片頭痛や群発頭痛の痛みを和らげることが知られている迷走神経や、片頭痛や群発頭痛に関連した脳領域の刺激に対しても適応が可能である。
【００７０】
以上、本発明の各実施形態の例について説明したが、本発明は上記各実施形態例に限定されるものではなく、特許請求の範囲に記載された本発明の要旨を逸脱しない限りにおいて、他の変形例、応用例を含むことはいうまでもない。
例えば、一方の神経刺激装置の故障や電池切れを他方が検知する方法としては、刺激作業を行っている活動中の神経刺激装置が、他方に対して定期的に通信信号を定時連絡として送信し、当該通信信号が予定時刻になっても受診されない場合に他方の神経刺激装置が、故障が発生したと判断する構成であってもよい。
また、活動中の神経刺激装置が行なっている神経刺激信号を休止中の他方の神経刺激装置がリードを介して検知し、当該神経刺激信号が途切れた際に他方の神経刺激装置が活動を開始する構成としても良い。この場合、刺激パラメータなどの情報信号は、活動中の神経刺激装置が設定を受けた時に両神経刺激装置間で共有化しておくものとすることができる。
【符号の説明】
【００７１】
１０１…電気刺激装置、１０２…後頭神経、１０３、４０２…第一神経刺激装置、１０４、４０３…第二神経刺激装置、１０５、４０４…電極リード、１０６…リードボディ、１０７…電極、２０２…第一コイル部、２０３…第一通信部、２０４…第一刺激パラメータ設定部、２０５…第一電極構成設定部、２０６…第一刺激信号発生部、２０７、４０５…第一制御部、２０８…第一充電部、２０９…第一充電池、２１０…第一電池容量監視部、２１１…第一警報部、２１２…第一右神経刺激波形発振部、２１３…第一右電極選択スイッチ、２１４…第一左神経刺激波形発振部、２１５…第一左電極選択スイッチ、２１６…第二コイル部、２１７…第二通信部、２１８…第二刺激パラメータ設定部、２１９…第二電極構成設定部、２２０…第二刺激信号発生部、２２１、４０７…第二制御部、２２２…第二充電部、２２３…第二充電池、２２４…第二電池容量監視部、２２５…第二警報部、２２６…第二右神経刺激波形発振部、２２７…第二右電極選択スイッチ、２２８…第二左神経刺激波形発振部、２２９…第二左電極選択スイッチ、４０６…通信用導線
【図１】
2010233846.tif 000003
【図２】
2010233846.tif 000004
【図３】
2010233846.tif 000005
【図４】
2010233846.tif 000006